(57)【要約】【課題】無駄な電力消費を抑える。【解決手段】ｍ行ｎ列の行列を構成する複数の発光画素５０１と、複数の発光画素５０１のうち、ｎ個の列の各々に対応するｍ個の発光画素５０１毎に、該ｍ個の発光画素５０１に対応づけて列方向に配置される第１の信号線ＳＬ１１および第２の信号線ＳＬ１２とを備える。第１の信号線ＳＬ１１は、対応するｍ個の発光画素の左側および右側の一方に配置される。第２の信号線ＳＬ１２は、対応するｍ個の発光画素の左側および右側の他方に配置される。【選択図】図１
2010281909.tif 000002
【特許請求の範囲】
【請求項１】
外部から供給される信号に応じて発光し、ｍ（２以上の整数）行ｎ（１以上の整数）列の行列を構成する複数の発光画素と、
前記複数の発光画素のうち、前記ｍ行ｎ列の行列におけるｎ個の列の各々に対応するｍ個の発光画素毎に、該ｍ個の発光画素に対応づけて列方向に配置される第１および第２の信号線とを備え、
前記第１および第２の信号線は、前記複数の発光画素のうち、処理対象となる処理対象発光画素を発光させるための信号を前記処理対象発光画素に供給するための信号線であり、
前記第１の信号線は、対応するｍ個の発光画素の左側および右側の一方に配置され、
前記第２の信号線は、対応するｍ個の発光画素の左側および右側の他方に配置され、
前記第１の信号線は、対応するｍ個の発光画素のうちの一部であるｋ（１≦ｋ＜ｍを満たす整数）個の発光画素の各々と第１接続線を介して電気的に接続され、
前記第２の信号線は、対応するｍ個の発光画素のうち、前記ｋ個の発光画素以外の発光画素と第２接続線を介して電気的に接続され、
前記第１接続線および前記第２接続線の各々は、対応する前記第１および第２の信号線のいずれとも交差しないように配置される、
画像表示装置。
【請求項２】
前記第１の信号線は、対応するｍ個の発光画素のうち、前記ｍ行ｎ列の行列における奇数行に対応する１以上の発光画素の各々と前記第１接続線を介して電気的に接続され、
前記第２の信号線は、対応するｍ個の発光画素のうち、前記ｍ行ｎ列の行列における偶数行に対応する１以上の発光画素の各々と前記第２接続線を介して電気的に接続される、
請求項１に記載の画像表示装置。
【請求項３】
前記ｍ行ｎ列の行列におけるｍ個の行の各々に対応する１以上の発光画素は、連続するｕ（２≦ｕ≦ｍを満たす整数）個の行毎に、ブロックを構成し、
前記第１の信号線は、対応するｍ個の発光画素のうち、奇数番目の前記ブロックを構成するｕ個の行にそれぞれ対応するｕ個の発光画素の各々と前記第１接続線を介して電気的に接続され、
前記第２の信号線は、対応するｍ個の発光画素のうち、偶数番目の前記ブロックを構成するｕ個の行にそれぞれ対応するｕ個の発光画素の各々と前記第２接続線を介して電気的に接続される、
請求項１に記載の画像表示装置。
【請求項４】
前記複数の発光画素の各々は、有機ＥＬ（Electro Luminescence）素子を含み、
前記有機ＥＬ素子は、外部から供給される信号に応じて発光する、
請求項１〜３のいずれかに記載の画像表示装置。
【発明の詳細な説明】
【技術分野】
【０００１】
本発明は、有機ＥＬ（Electro Luminescence）素子などの電流駆動型自発光素子を用いたアクティブマトリックス方式の画像表示装置に関する。
【背景技術】
【０００２】
電流駆動型の発光素子を用いた画像表示装置として、有機ＥＬ（Electro Luminescence）素子を用いた画像表示装置（以下、有機ＥＬ表示装置という）が知られている。この自発光する有機ＥＬ素子を用いた有機ＥＬ表示装置は、液晶表示装置で使用されるバックライトが不要で、装置の薄型化に最適である。また、有機ＥＬ表示装置は、視野角にも制限がないため、次世代の表示装置として実用化が期待されている。
【０００３】
そのため、有機ＥＬ表示装置における様々な技術が開示されている。
例えば、特許文献１には、各列に配置された複数の画素回路毎に、２本の信号線を設けることにより、表示画像の輝度ムラを防ぐための技術（以下、従来技術Ａという）が開示されている。
【０００４】
図６は、従来技術Ａにおける画像表示装置５００の構成を示す図である。
画像表示装置５００は、画素アレイ部５１０と、信号線対ＳＬ５１０（１），ＳＬ５１０（２），ＳＬ５１０（３），・・・と、信号セレクタ５２０と、給電線駆動部５３０と、走査線駆動部５４０とを備える。
【０００５】
画素アレイ部５１０には、行列状に配置された複数の発光画素５０１が配置される。発光画素５０１は、図示しない有機ＥＬ素子等の発光素子を含む回路である。
【０００６】
画像表示装置５００は、複数の信号線対（信号線対ＳＬ５１０（１），ＳＬ５１０（２），ＳＬ５１０（３），・・・）を備える。複数の信号線対の各々は、各列に対応する複数の発光画素５０１に対応づけて列方向に配置される。
【０００７】
信号セレクタ５２０は、信号線対ＳＬ５１０（１），ＳＬ５１０（２），ＳＬ５１０（３），・・・と電気的に接続される。
【０００８】
走査線駆動部５４０は、各走査線（走査線ＷＬ６０１，ＷＬ６０２，・・・）に１水平周期（１Ｈ）で順次制御信号を供給することにより、対応する発光画素５０１を行単位で線順次走査する。
【０００９】
給電線駆動部５３０は、走査線駆動部５４０による線順次走査に合わせて、各給電線（給電線ＰＬ６０１，ＰＬ６０２，・・・）に電源電圧を供給する。当該電源電圧は、第１電圧および第２電圧のいずれかである。
【００１０】
信号セレクタ５２０は、走査線駆動部５４０による線順次走査に合わせて、各信号線対（信号線対ＳＬ５１０（１），ＳＬ５１０（２），ＳＬ５１０（３），・・・）に信号電圧を供給する。当該信号電圧は、映像信号としての輝度信号電圧と、基準電圧とのいずれかである。
【００１１】
当該各信号線対は、２本の信号線（第１および第２の信号線）からなる。例えば、信号線対ＳＬ５１０（１）は、第１の信号線ＳＬ５１１（１）と、第２の信号線ＳＬ５１２（１）とからなる。
【００１２】
図６において、奇数行に対応する発光画素５０１は、接続線を介して、対応する信号線対における第１の信号線と電気的に接続される。例えば、１行１列目の発光画素５０１は、接続線Ｌ６（１）を介して、信号線対ＳＬ５１０（１）における第１の信号線ＳＬ５１１（１）と電気的に接続される。
【００１３】
この場合、各信号線対における第１の信号線は、接続線を介して、奇数行に対応する発光画素５０１へ、信号電圧を供給する。例えば、信号線対ＳＬ５１０（１）における第１の信号線ＳＬ５１１（１）は、接続線Ｌ６（１）を介して、奇数行に対応する１行１列目の発光画素５０１へ、信号電圧を供給する。
【００１４】
また、偶数行に対応する発光画素５０１は、接続線を介して、対応する信号線対における第２の信号線と電気的に接続される。例えば、２行１列目の発光画素５０１は、接続線Ｌ６（２）を介して、信号線対ＳＬ５１０（１）における第２の信号線ＳＬ５１２（１）と、電気的に接続される。
【００１５】
この場合、各信号線対における第２の信号線は、接続線を介して、偶数行に対応する発光画素５０１へ、信号電圧を供給する。例えば、信号線対ＳＬ５１０（１）における第２の信号線ＳＬ５１２（１）は、接続線Ｌ６（２）を介して、偶数行に対応する２行１列目の発光画素５０１へ、信号電圧を供給する。
【００１６】
各発光画素５０１に含まれる発光素子（図示せず）は、外部から供給される前述した電源電圧および信号電圧に応じて、所定のタイミングで発光する。
【先行技術文献】
【特許文献】
【００１７】
【特許文献１】特開２００８−１２２６３３号公報
【発明の概要】
【発明が解決しようとする課題】
【００１８】
図６において、各発光画素５０１に対応する、２本の信号線からなる信号線対は、当該発光画素５０１の左側に配置される。そのため、信号線対における第１の信号線を、接続線を介して、奇数行に対応する発光画素５０１と電気的に接続させる場合、奇数行に対応する発光画素５０１に接続される接続線は、信号線対における第２の信号線と交差する。例えば、１行１列目の発光画素５０１に接続される接続線Ｌ６（１）は、信号線対ＳＬ５１０（１）における第２の信号線ＳＬ５１２（１）と、領域Ｒ１１において交差する。
【００１９】
この場合、接続線Ｌ６（１）と、第２の信号線ＳＬ５１２（１）とが交差する領域Ｒ１１では、接続線Ｌ６（１）と、第２の信号線ＳＬ５１２（１）とにより、寄生容量としての層間容量が第２の信号線ＳＬ５１２（１）及び接続線Ｌ６（１）と接続されている第１の信号線ＳＬ５１１（１）に発生する。層間容量とは、多層基板において、異なる２つの電線をそれぞれ形成する２つの配線層間に生じる寄生容量（配線容量）である。
【００２０】
特に、図６のような例では、奇数行の発光画素５０１に対応する第１及び第２の信号線の全てにおいて、層間容量が生じる。そのため、例えば、画素数が２倍になれば、層間容量の合計容量も２倍になってしまう。すなわち、画素数の増大と共に、層間容量の合計容量も増大してしまう。
【００２１】
図６の画像表示装置５００において、目的とする信号電圧を各発光画素５０１に供給するためには、当該層間容量を１水平期間毎に充放電する必要がある。そのため、図６の画像表示装置５００においては、１水平期間毎に、非常に多くの層間容量を充電放電する必要があり、無駄な電力消費が生じるという問題がある。
【００２２】
本発明は、上述の問題点を解決するためになされたものであって、その目的は、無駄な電力消費を抑えることを可能とする画像表示装置を提供することである。
【課題を解決するための手段】
【００２３】
上述の課題を解決するために、この発明のある局面に従う画像表示装置は、外部から供給される信号に応じて発光し、ｍ（２以上の整数）行ｎ（１以上の整数）列の行列を構成する複数の発光画素と、複数の発光画素のうち、ｍ行ｎ列の行列におけるｎ個の列の各々に対応するｍ個の発光画素毎に、該ｍ個の発光画素に対応づけて列方向に配置される第１および第２の信号線とを備える。第１および第２の信号線は、複数の発光画素のうち、処理対象となる処理対象発光画素を発光させるための信号を処理対象発光画素に供給するための信号線である。第１の信号線は、対応するｍ個の発光画素の左側および右側の一方に配置される。第２の信号線は、対応するｍ個の発光画素の左側および右側の他方に配置される。第１の信号線は、対応するｍ個の発光画素のうちの一部であるｋ（１≦ｋ＜ｍを満たす整数）個の発光画素の各々と第１接続線を介して電気的に接続される。第２の信号線は、対応するｍ個の発光画素のうち、ｋ個の発光画素以外の発光画素と第２接続線を介して電気的に接続される。第１接続線および第２接続線の各々は、対応する第１および第２の信号線のいずれとも交差しないように配置される。
【００２４】
すなわち、画像表示装置は、ｍ行ｎ列の行列を構成する複数の発光画素と、複数の発光画素のうち、ｎ個の列の各々に対応するｍ個の発光画素毎に、該ｍ個の発光画素に対応づけて列方向に配置される第１および第２の信号線とを備える。第１の信号線は、対応するｍ個の発光画素の左側および右側の一方に配置される。第２の信号線は、対応するｍ個の発光画素の左側および右側の他方に配置される。第１の信号線は、対応するｍ個の発光画素のうちの一部であるｋ個の発光画素の各々と第１接続線を介して電気的に接続される。第２の信号線は、対応するｍ個の発光画素のうち、ｋ個の発光画素以外の発光画素と第２接続線を介して電気的に接続される。第１接続線および第２接続線の各々は、対応する第１および第２の信号線のいずれとも交差しないように配置される。
【００２５】
つまり、接続線（第１接続線または第２接続線）と、信号線（第１の信号線または第２の信号線）とは交差しないので、接続線と信号線との交差により生じる層間容量は生じない。そのため、発光画素を発光させるための制御を行う際、信号線と接続線との交差により生じる層間容量に対する充電放電の処理が不要となる。したがって、無駄な電力消費を抑えることができる。
【００２６】
また、第１の信号線は、対応するｍ個の発光画素のうち、ｍ行ｎ列の行列における奇数行に対応する１以上の発光画素の各々と第１接続線を介して電気的に接続され、第２の信号線は、対応するｍ個の発光画素のうち、ｍ行ｎ列の行列における偶数行に対応する１以上の発光画素の各々と第２接続線を介して電気的に接続されてもよい。
【００２７】
また、ｍ行ｎ列の行列におけるｍ個の行の各々に対応する１以上の発光画素は、連続するｕ（２≦ｕ≦ｍを満たす整数）個の行毎に、ブロックを構成し、第１の信号線は、対応するｍ個の発光画素のうち、奇数番目のブロックを構成するｕ個の行にそれぞれ対応するｕ個の発光画素の各々と第１接続線を介して電気的に接続され、第２の信号線は、対応するｍ個の発光画素のうち、偶数番目のブロックを構成するｕ個の行にそれぞれ対応するｕ個の発光画素の各々と第２接続線を介して電気的に接続されてもよい。
【００２８】
また、複数の発光画素の各々は、有機ＥＬ（Electro Luminescence）素子を含んでもよい。有機ＥＬ素子は、外部から供給される信号に応じて発光する。
【発明の効果】
【００２９】
本発明により、無駄な電力消費を抑えることができる。
【図面の簡単な説明】
【００３０】
【図１】第１の実施の形態における画像表示装置の構成を示すブロック図である。
【図２】一例として、１行１列目に対応する発光画素の構成の一例を示す図である。
【図３】一例として、２行１列目に対応する発光画素の構成の一例を示す図である。
【図４】第２の実施の形態における画像表示装置の構成を示すブロック図である。
【図５】第３の実施の形態における画像表示装置の構成を示すブロック図である。
【図６】従来技術Ａにおける画像表示装置の構成を示す図である。
【発明を実施するための形態】
【００３１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３２】
＜第１の実施の形態＞
（画像表示装置の構成）
図１は、第１の実施の形態における画像表示装置１００の構成を示すブロック図である。図１に示されるように、画像表示装置１００は、表示パネル１１０と、信号線駆動部１２０と、走査線駆動部１３０とを備える。
【００３３】
表示パネル１１０は、アクティブマトリクス方式の表示パネルである。表示パネル１１０は、複数の画素回路としての発光画素１０１を含む。複数の発光画素１０１は、行列状に配置される。すなわち、複数の発光画素１０１は、ｍ（２以上の整数）行ｎ（１以上の整数）列の行列を構成する。複数の発光画素１０１の各々は、外部から供給される信号に応じて発光する。
【００３４】
表示パネル１１０は、信号線対ＳＬ（１），ＳＬ（２），・・・，ＳＬ（ｎ）により、信号線駆動部１２０と電気的に接続される。信号線対ＳＬ（１），ＳＬ（２），・・・，ＳＬ（ｎ）の各々は、ｍ行ｎ列の行列における各列に対応するｍ個の発光画素１０１に対応づけて列方向に配置される。
【００３５】
信号線対ＳＬ（１），ＳＬ（２），・・・，ＳＬ（ｎ）の各々は、第１の信号線と、第２の信号線とからなる。例えば、信号線対ＳＬ（１）は、第１の信号線ＳＬ１１と、第２の信号線ＳＬ１２とからなる。第１の信号線および第２の信号線の各々は、発光画素を発光させるための信号を処理対象となる処理対象発光画素に供給するための信号線である。
【００３６】
第１の信号線ＳＬ１１，ＳＬ２１，・・・，ＳＬｎ１の各々は、対応するｍ個の発光画素１０１の左側に配置される。第２の信号線ＳＬ１２，ＳＬ２２，・・・，ＳＬｎ２の各々は、対応するｍ個の発光画素１０１の右側に配置される。
【００３７】
例えば、第１の信号線ＳＬ１１は、１列目に対応するｍ個の発光画素１０１の左側に配置される。また、例えば、第２の信号線ＳＬ１２は、１列目に対応するｍ個の発光画素１０１の右側に配置される。以下においては、第１の信号線ＳＬ１１，ＳＬ２１，・・・，ＳＬｎ１を、単に、第１の信号線ともいう。また、以下においては、第２の信号線ＳＬ１２，ＳＬ２２，・・・，ＳＬｎ２を、単に、第２の信号線ともいう。
【００３８】
第１の信号線は、対応するｍ個の発光画素１０１のうち、ｍ行ｎ列の行列における奇数行に対応する１以上の発光画素１０１の各々と接続線Ｌ１を介して電気的に接続される。第２の信号線は、対応するｍ個の発光画素１０１のうち、ｍ行ｎ列の行列における偶数行に対応する１以上の発光画素１０１の各々と接続線Ｌ２を介して電気的に接続される。本発明における、接続線（例えば、接続線Ｌ１）は、１つの発光画素１０１と、第１の信号線およびの第２の信号線いずれかとを電気的に接続するための電線である。
【００３９】
例えば、１行１列目に対応する発光画素１０１は、接続線Ｌ１を介して、第１の信号線ＳＬ１１と電気的に接続される。例えば、２行１列目に対応する発光画素１０１は、接続線Ｌ２を介して、第２の信号線ＳＬ１２と電気的に接続される。
【００４０】
上記した第１の信号線および第２の信号線の配置により、接続線Ｌ１および接続線Ｌ２の各々は、対応する第１および第２の信号線のいずれとも物理的に交差しないように配置される。
【００４１】
以上の構成により、本実施の形態の画像表示装置１００では、信号線（第１の信号線または第２の信号線）と、接続線（接続線Ｌ１または接続線Ｌ２）とは交差しない。そのため、本実施の形態の画像表示装置１００では、図６の画像表示装置５００のように、信号線と接続線との交差により生じる層間容量が生じない。
【００４２】
そのため、画像表示装置１００において、発光画素１０１を発光させるための制御を行う際、信号線と接続線との交差により生じる層間容量に対する充電放電の処理が不要となる。したがって、無駄な電力消費を抑えることができる。
【００４３】
なお、第１の信号線および第２の信号線は、上記配置に限定されない。例えば、第１の信号線ＳＬ１１，ＳＬ２１，・・・，ＳＬｎ１の各々は、対応するｍ個の発光画素１０１の右側に配置されてもよい。また、第２の信号線ＳＬ１２，ＳＬ２２，・・・，ＳＬｎ２の各々は、対応するｍ個の発光画素１０１の左側に配置されてもよい。
【００４４】
表示パネル１１０は、給電線ＰＬ１，ＰＬ２，ＰＬ３，・・・，Ｐｌｍと、走査線ＣＬ１，ＣＬ２，ＣＬ３，・・・，ＣＬｍとにより、走査線駆動部１３０と電気的に接続される。給電線ＰＬ１，ＰＬ２，ＰＬ３，・・・，Ｐｌｍの各々は、走査線駆動部１３０の制御により、処理対象となる発光画素１０１へ電源電圧を供給するための電線である。当該電源電圧は、第１電圧および第２電圧のいずれかである。
【００４５】
走査線ＣＬ１，ＣＬ２，ＣＬ３，・・・，ＣＬｍの各々は、走査線駆動部１３０の制御により、処理対象となる発光画素１０１へ制御信号を供給するための電線である。
【００４６】
給電線ＰＬ１，ＰＬ２，ＰＬ３，・・・，Ｐｌｍの各々は、ｍ行ｎ列の行列における各行に対応するｎ個の発光画素１０１に対応づけて行方向に配置される。また、走査線ＣＬ１，ＣＬ２，ＣＬ３，・・・，ＣＬｍの各々は、ｍ行ｎ列の行列における各行に対応するｎ個の発光画素１０１に対応づけて行方向に配置される。
【００４７】
以下においては、対象物Ａが対象物Ｂと電気的に接続されている状態を説明する場合、単に、対象物Ａが対象物Ｂと接続されているという記載をする。
【００４８】
（発光画素の構成）
次に、発光画素１０１の構成の一例を示す。
【００４９】
図２は、一例として、１行１列目に対応する発光画素１０１の構成の一例を示す図である。
【００５０】
図２を参照して、発光画素１０１は、スイッチング素子ＳＷ１と、容量素子Ｃ１と、ドライバー素子ＤＲ１と、発光素子ＥＬ１とを含む。発光画素１０１は、一例として、ドライバー素子ＤＲ１の閾値補償を行うための構成を有する。
【００５１】
スイッチング素子ＳＷ１は、Ｎチャネル型の電界効果トランジスタ（ＦＥＴ（Field Effect Transistor））である。なお、スイッチング素子ＳＷ１は、Ｎチャネル型のＦＥＴに限定されることなく、Ｐチャネル型のＦＥＴであってもよい。
【００５２】
なお、スイッチング素子ＳＷ１は、トランジスタに限定されることなく、２つの端子間を導通状態および非導通状態にすることが可能な素子であれば、他の素子であってもよい。導通状態とは、電流を流すことが可能な状態である。非導通状態とは、電流を流すことが不可な状態である。
【００５３】
本実施の形態で使用する、スイッチング素子およびドライバー素子は、外部からの信号に応じて、導通状態および非導通状態のいずれかの状態になる素子である。また、本実施の形態におけるドライバー素子は、発光素子に電流を供給するための素子であるとする。
【００５４】
容量素子Ｃ１はコンデンサである。ドライバー素子ＤＲ１は、Ｎチャネル型の電界効果トランジスタ（ＦＥＴ）である。なお、ドライバー素子ＤＲ１は、Ｎチャネル型のＦＥＴに限定されることなく、Ｐチャネル型のＦＥＴであってもよい。
【００５５】
発光素子ＥＬ１は、有機ＥＬ素子である。有機ＥＬ素子は、当該有機ＥＬ素子自体に供給される電流が大きいほど、発光の度合いが大きくなる素子である。
【００５６】
以下の説明において、信号および信号線の２値的な高電圧状態（電圧Ｖｄｄ）および低電圧状態を、それぞれ、「Ｈレベル」および「Ｌレベル」とも称する。また、以下においては、各素子のゲート電極、ドレイン電極およびソース電極を、それぞれ、ゲート、ドレインおよびソースともいう。
【００５７】
スイッチング素子ＳＷ１のゲートは走査線ＣＬ１と接続される。スイッチング素子ＳＷ１のドレインおよびソースの一方は、接続線Ｌ１を介して、第１の信号線ＳＬ１１と接続される。スイッチング素子ＳＷ１のドレインおよびソースの他方は、ドライバー素子ＤＲ１のゲートと接続される。
【００５８】
ドライバー素子ＤＲ１のドレインは、給電線ＰＬ１と接続される。ドライバー素子ＤＲ１のソースは、発光素子ＥＬ１のアノードと接続される。
【００５９】
発光素子ＥＬ１のカソードは、負電源線ＮＰＬ１と接続される。負電源線ＮＰＬ１は、例えば、０Ｖ以下の電圧を供給する電源線であるとする。
【００６０】
容量素子Ｃ１の有する２つの電極の一方は、ドライバー素子ＤＲ１のゲートと接続される。容量素子Ｃ１の有する２つの電極の他方は、発光素子ＥＬ１のアノードと接続される。
【００６１】
図３は、一例として、２行１列目に対応する発光画素１０１の構成の一例を示す図である。
【００６２】
図３に示される発光画素１０１は、図２の発光画素１０１の構成と比較して、スイッチング素子ＳＷ１のドレインおよびソースの一方が、接続線Ｌ２を介して、第２の信号線ＳＬ１２と接続される点が異なる。それ以外は、図２の発光画素１０１の構成と同様なので詳細な説明は繰り返さない。
【００６３】
なお、図２または図３の発光素子ＥＬ１を発光させるための処理は、特開２００８−１２２６３３号公報に記載されている処理と同様なので詳細な説明は行わない。
【００６４】
なお、発光画素１０１の構成は、図２または図３の構成に限定されず、発光素子ＥＬ１を発光させることが可能な構成であればどのような構成であってもよい。
【００６５】
以上説明したように、本実施の形態の画像表示装置１００では、信号線（第１の信号線または第２の信号線）と、接続線（接続線Ｌ１または接続線Ｌ２）とは交差しない。そのため、本実施の形態の画像表示装置１００では、図６の画像表示装置５００のように、信号線と接続線との交差により生じる層間容量が生じない。
【００６６】
そのため、画像表示装置１００において、発光画素１０１を発光させるための制御を行う際、信号線と接続線との交差により生じる層間容量に対する充電放電の処理が不要となる。したがって、無駄な電力消費を抑えることができる。すなわち、消費電力の低減を実現することができる。
【００６７】
＜第２の実施の形態＞
次に、第１の実施の形態と異なる構成の画像表示装置について説明する。
【００６８】
（画像表示装置の構成）
図４は、第２の実施の形態における画像表示装置１００Ａの構成を示すブロック図である。図４を参照して、画像表示装置１００Ａは、図１の画像表示装置１００と比較して、表示パネル１１０の代わりに表示パネル１１０Ａを備える点が異なる。それ以外は、画像表示装置１００と同様なので詳細な説明は繰り返さない。
【００６９】
なお、画像表示装置１００Ａは、画像表示装置１００と同様に複数の給電線を備えるが、図を簡略化するために、図４では、複数の給電線は示していない。
【００７０】
表示パネル１１０Ａは、アクティブマトリクス方式の表示パネルである。表示パネル１１０Ａは、複数の画素回路としての発光画素１０１を含む。複数の発光画素１０１は、行列状に配置される。すなわち、複数の発光画素１０１は、ｍ（２以上の整数）行ｎ（１以上の整数）列の行列を構成する。複数の発光画素１０１の各々は、外部から供給される信号に応じて発光する。各発光画素１０１の構成は、図２または図３に示される構成である。
【００７１】
ｍ行ｎ列の行列におけるｍ個の行の各々に対応するｎ個の発光画素１０１は、連続するｕ（２≦ｕ≦ｍを満たす整数）個の行毎に、ブロックを構成する。これにより、ブロックＢＫ１，ＢＫ２，・・・，ＢＫ（ｐ（４以上の整数）−１），Ｂｋｐが構成される。
【００７２】
したがって、ブロックＢＫ１，ＢＫ２，・・・，ＢＫ（ｐ−１），Ｂｋｐの各々には、ｕ個の行の各々に対応するｎ個の発光画素１０１が含まれる。
【００７３】
表示パネル１１０Ａは、信号線対ＳＬＡ（１），ＳＬＡ（２），・・・，ＳＬＡ（ｎ）により、信号線駆動部１２０と電気的に接続される。信号線対ＳＬＡ（１），ＳＬＡ（２），・・・，ＳＬＡ（ｎ）の各々は、ｍ行ｎ列の行列における各列に対応するｍ個の発光画素１０１に対応づけて列方向に配置される。
【００７４】
信号線対ＳＬＡ（１），ＳＬＡ（２），・・・，ＳＬＡ（ｎ）の各々は、第１の信号線Ａと、第２の信号線Ａとからなる。例えば、信号線対ＳＬＡ（１）は、第１の信号線ＳＬ＿Ｏｄ（１）と、第２の信号線ＳＬ＿Ｅｖ（１）とからなる。第１の信号線Ａおよび第２の信号線Ａの各々は、発光画素を発光させるための信号を処理対象となる処理対象発光画素に供給するための信号線である。
【００７５】
第１の信号線ＳＬ＿Ｏｄ（１），ＳＬ＿Ｏｄ（２），・・・，ＳＬ＿Ｏｄ（ｎ）の各々は、対応するｍ個の発光画素１０１の左側に配置される。第２の信号線ＳＬ＿Ｅｖ（１），ＳＬ＿Ｅｖ（２），・・・，ＳＬ＿Ｅｖ（ｎ）の各々は、対応するｍ個の発光画素１０１の右側に配置される。
【００７６】
例えば、第１の信号線ＳＬ＿Ｏｄ（１）は、１列目に対応するｍ個の発光画素１０１の左側に配置される。また、例えば、第２の信号線ＳＬ＿Ｅｖ（１）は、１列目に対応するｍ個の発光画素１０１の右側に配置される。以下においては、第１の信号線ＳＬ＿Ｏｄ（１），ＳＬ＿Ｏｄ（２），・・・，ＳＬ＿Ｏｄ（ｎ）を、単に、第１の信号線Ａともいう。また、以下においては、第２の信号線ＳＬ＿Ｅｖ（１），ＳＬ＿Ｅｖ（２），・・・，ＳＬ＿Ｅｖ（ｎ）を、単に、第２の信号線Ａともいう。
【００７７】
第１の信号線Ａは、対応するｍ個の発光画素１０１のうち、奇数番目のブロックを構成するｕ個の行にそれぞれ対応するｕ個の発光画素１０１の各々と接続線Ｌ１を介して電気的に接続される。奇数番目のブロックは、例えば、ブロックＢＫ１である。
【００７８】
第２の信号線Ａは、対応するｍ個の発光画素１０１のうち、偶数番目のブロックを構成するｕ個の行にそれぞれ対応するｕ個の発光画素１０１の各々と接続線Ｌ２を介して電気的に接続される。偶数番目のブロックは、例えば、ブロックＢＫ２である。
【００７９】
例えば、ブロックＢＫ１に対応する、１列目のｕ個の発光画素１０１の各々は、接続線Ｌ１を介して、第１の信号線ＳＬ＿Ｏｄ（１）と電気的に接続される。例えば、ブロックＢＫ２に対応する、１列目のｕ個の発光画素１０１の各々は、接続線Ｌ２を介して、第２の信号線ＳＬ＿Ｅｖ（１）と電気的に接続される。
【００８０】
すなわち、各ブロック（例えば、ブロックＢＫ１，ＢＫ２）に対応する、各列の発光画素１０１は、同一の信号線（第１の信号線Ａまたは第２の信号線Ａ）と電気的に接続される。
【００８１】
上記した第１の信号線Ａおよび第２の信号線Ａの配置により、接続線Ｌ１および接続線Ｌ２の各々は、対応する第１および第２の信号線Ａのいずれとも物理的に交差しないように配置される。
【００８２】
なお、第１の信号線Ａと接続される発光画素１０１の構成は、図２の構成である。第２の信号線Ａと接続される発光画素１０１の構成は、図３の構成である。
【００８３】
以上の構成により、本実施の形態の画像表示装置１００Ａでは、信号線（第１の信号線Ａまたは第２の信号線Ａ）と、接続線（接続線Ｌ１または接続線Ｌ２）とは交差しない。そのため、本実施の形態の画像表示装置１００Ａでは、図６の画像表示装置５００のように、信号線と接続線との交差により生じる層間容量が生じない。
【００８４】
そのため、画像表示装置１００Ａにおいて、発光画素１０１を発光させるための制御を行う際、信号線と接続線との交差により生じる層間容量に対する充電放電の処理が不要となる。したがって、無駄な電力消費を抑えることができる。
【００８５】
なお、第１の信号線Ａおよび第２の信号線Ａは、上記配置に限定されない。例えば、第１の信号線ＳＬ＿Ｏｄ（１），ＳＬ＿Ｏｄ（２），・・・，ＳＬ＿Ｏｄ（ｎ）の各々は、対応するｍ個の発光画素１０１の右側に配置されてもよい。また、第２の信号線ＳＬ＿Ｅｖ（１），ＳＬ＿Ｅｖ（２），・・・，ＳＬ＿Ｅｖ（ｎ）の各々は、対応するｍ個の発光画素１０１の左側に配置されてもよい。
【００８６】
表示パネル１１０Ａは、図示しない複数の給電線と、複数の走査線とにより、走査線駆動部１３０と電気的に接続される。当該複数の走査線は、図１の走査線ＣＬ１，ＣＬ２，ＣＬ３，・・・，ＣＬｍと同様に、発光画素１０１に接続されるので詳細な説明は繰り返さない。
【００８７】
例えば、走査線ＣＬ＿Ｏｄ（１，１），・・・，ＣＬ＿Ｏｄ（１，ｕ）は、ブロックＢＫ１に対応する走査線である。走査線ＣＬ＿Ｅｖ（２，１），・・・，ＣＬ＿Ｅｖ（２，ｕ）は、ブロックＢＫ２に対応する走査線である。走査線ＣＬ＿Ｅｖ（ｐ，１），・・・，ＣＬ＿Ｅｖ（ｐ，ｕ）は、ブロックＢＫｐに対応する走査線である。
【００８８】
以上説明したように、本実施の形態の画像表示装置１００Ａでは、信号線（第１の信号線Ａまたは第２の信号線Ａ）と、接続線（接続線Ｌ１または接続線Ｌ２）とは交差しない。そのため、本実施の形態の画像表示装置１００Ａでは、図６の画像表示装置５００のように、信号線と接続線との交差により生じる層間容量が生じない。
【００８９】
そのため、画像表示装置１００Ａにおいて、発光画素１０１を発光させるための制御を行う際、信号線と接続線との交差により生じる層間容量に対する充電放電の処理が不要となる。したがって、無駄な電力消費を抑えることができる。すなわち、消費電力の低減を実現することができる。
【００９０】
＜第３の実施の形態＞
次に、第１および第２の実施の形態と異なる構成の画像表示装置について説明する。
【００９１】
（画像表示装置の構成）
図５は、第３の実施の形態における画像表示装置１００Ｂの構成を示すブロック図である。図５を参照して、画像表示装置１００Ｂは、図４の画像表示装置１００Ａと比較して、表示パネル１１０Ａの代わりに表示パネル１１０Ｂを備える点が異なる。それ以外は、画像表示装置１００Ａと同様なので詳細な説明は繰り返さない。
【００９２】
なお、画像表示装置１００Ｂは、画像表示装置１００と同様に複数の給電線を備えるが、図を簡略化するために、図５では、複数の給電線は示していない。
【００９３】
表示パネル１１０Ｂは、図４の表示パネル１１０Ａと同様なパネルであるので詳細な説明は繰り返さない。表示パネル１１０Ｂは、図４の表示パネル１１０Ａと同様に、複数の画素回路としての発光画素１０１を含む。複数の発光画素１０１は、ｍ（２以上の整数）行ｎ（１以上の整数）列の行列を構成する。各発光画素１０１の構成は、図２に示される構成である。
【００９４】
また、ｍ行ｎ列の行列におけるｍ個の行の各々に対応するｎ個の発光画素１０１は、連続するｕ（２≦ｕ≦ｍを満たす整数）個の行毎に、ブロックを構成する。これにより、ブロックＢＫ１，ＢＫ２，・・・，ＢＫ（ｐ（４以上の整数）−１），Ｂｋｐが構成される。
【００９５】
したがって、ブロックＢＫ１，ＢＫ２，・・・，ＢＫ（ｐ−１），Ｂｋｐの各々には、ｕ個の行の各々に対応するｎ個の発光画素１０１が含まれる。
【００９６】
表示パネル１１０Ｂは、信号線対ＳＬＢ（１），ＳＬＢ（２），・・・，ＳＬＢ（ｎ）により、信号線駆動部１２０と電気的に接続される。信号線対ＳＬＢ（１），ＳＬＢ（２），・・・，ＳＬＢ（ｎ）の各々は、ｍ行ｎ列の行列における各列に対応するｍ個の発光画素１０１に対応づけて列方向に配置される。
【００９７】
信号線対ＳＬＢ（１），ＳＬＢ（２），・・・，ＳＬＢ（ｎ）の各々は、対応するｍ個の発光画素１０１の左側に配置される。なお、信号線対ＳＬＢ（１），ＳＬＢ（２），・・・，ＳＬＢ（ｎ）の各々は、対応するｍ個の発光画素１０１の右側に配置されてもよい。
【００９８】
信号線対ＳＬＢ（１），ＳＬＢ（２），・・・，ＳＬＢ（ｎ）の各々は、第１の信号線Ｂと、第２の信号線Ｂとからなる。例えば、信号線対ＳＬＢ（１）は、第１の信号線ＳＬＢ＿Ｏｄ（１）と、第２の信号線ＳＬＢ＿Ｅｖ（１）とからなる。第１の信号線Ｂおよび第２の信号線Ｂの各々は、発光画素を発光させるための信号を処理対象となる処理対象発光画素に供給するための信号線である。
【００９９】
第１の信号線ＳＬＢ＿Ｏｄ（１），ＳＬＢ＿Ｏｄ（２），・・・，ＳＬＢ＿Ｏｄ（ｎ）の各々は、対応するｍ個の発光画素１０１の左側に配置される。第２の信号線ＳＬＢ＿Ｅｖ（１），ＳＬＢ＿Ｅｖ（２），・・・，ＳＬＢ＿Ｅｖ（ｎ）の各々は、対応するｍ個の発光画素１０１の左側に配置される。
【０１００】
例えば、第１の信号線ＳＬＢ＿Ｏｄ（１）は、１列目に対応するｍ個の発光画素１０１の左側に配置される。また、例えば、第２の信号線ＳＬＢ＿Ｅｖ（１）は、１列目に対応するｍ個の発光画素１０１の左側に配置される。以下においては、第１の信号線ＳＬＢ＿Ｏｄ（１），ＳＬＢ＿Ｏｄ（２），・・・，ＳＬＢ＿Ｏｄ（ｎ）を、単に、第１の信号線Ｂともいう。また、以下においては、第２の信号線ＳＬＢ＿Ｅｖ（１），ＳＬＢ＿Ｅｖ（２），・・・，ＳＬＢ＿Ｅｖ（ｎ）を、単に、第２の信号線Ｂともいう。
【０１０１】
第１の信号線Ｂおよび第２の信号線Ｂは、連続する奇数番目のブロックと偶数番目のブロックとの境界近傍において、行方向の位置が入れ替わるように交差して配置される。例えば、第１の信号線ＳＬＢ＿Ｏｄ（１）および第２の信号線ＳＬＢ＿Ｅｖ（１）は、連続する奇数番目のブロックＢＫ１と偶数番目のブロックＢＫ２との境界近傍（領域Ｒ２１）において、行方向の位置が入れ替わるように交差して配置される。
【０１０２】
第１の信号線Ｂは、対応するｍ個の発光画素１０１のうち、偶数番目のブロックを構成するｕ個の行にそれぞれ対応するｕ個の発光画素１０１の各々と接続線Ｌ１を介して電気的に接続される。偶数番目のブロックは、例えば、ブロックＢＫ２である。
【０１０３】
第２の信号線Ｂは、対応するｍ個の発光画素１０１のうち、奇数番目のブロックを構成するｕ個の行にそれぞれ対応するｕ個の発光画素１０１の各々と接続線Ｌ１を介して電気的に接続される。奇数番目のブロックは、例えば、ブロックＢＫ１である。
【０１０４】
例えば、ブロックＢＫ２に対応する、１列目のｕ個の発光画素１０１の各々は、接続線Ｌ１を介して、第１の信号線ＳＬＢ＿Ｏｄ（１）と電気的に接続される。例えば、ブロックＢＫ１に対応する、１列目のｕ個の発光画素１０１の各々は、接続線Ｌ１を介して、第２の信号線ＳＬＢ＿Ｅｖ（１）と電気的に接続される。
【０１０５】
すなわち、各ブロック（例えば、ブロックＢＫ１，ＢＫ２）に対応する、各列の発光画素１０１は、同一の信号線（第１の信号線Ａまたは第２の信号線Ａ）と電気的に接続される。
【０１０６】
上記した第１の信号線Ｂおよび第２の信号線Ｂの配置により、奇数番目のブロックまたは偶数番目のブロックに対応する接続線は、対応する第１および第２の信号線Ｂのいずれとも物理的に交差しないように配置される。
【０１０７】
なお、第１の信号線Ｂおよび第２の信号線Ｂのいずれかと接続される発光画素１０１の構成は、図２の構成である。
【０１０８】
以上説明したように、本実施の形態の画像表示装置１００Ｂでは、第１の信号線Ｂと第２の信号線Ｂとの交差により層間容量が生じる。しかしながら、本実施の形態の画像表示装置１００Ｂでは、第１の信号線Ｂおよび第２の信号線Ｂは、連続する奇数番目のブロックと偶数番目のブロックとの境界近傍において、行方向の位置が入れ替わるように交差して配置される。
【０１０９】
各ブロック（例えば、ブロックＢＫ１，ＢＫ２）には、ｕ（２≦ｕ≦ｍを満たす整数）個の行の各々に対応するｎ個の発光画素１０１が含まれる。そのため、ｕの値が大きい程、第１の信号線Ｂと第２の信号線Ｂとの交差により生じる層間容量の数を少なくすることができる。
【０１１０】
そのため、画像表示装置１００Ｂにおいて生じる層間容量の数は、ｕの値を大きくする程、図６の画像表示装置５００において１行おきに生じる層間容量の数より大幅に少なくできる。
【０１１１】
また、信号線（第１の信号線Ｂまたは第２の信号線Ｂ）と、奇数番目のブロックまたは偶数番目のブロックに対応する接続線（接続線Ｌ１）とは交差しない。そのため、本実施の形態の画像表示装置１００Ｂでは、図６の画像表示装置５００のように、信号線と接続線との交差により生じる層間容量が生じない。
【０１１２】
そのため、画像表示装置１００Ａにおいて、発光画素１０１を発光させるための制御を行う際、第１の信号線Ｂと第２の信号線Ｂとの交差により生じる、僅かな数の層間容量に対する充電放電を行うだけでよい。したがって、無駄な電力消費を抑えることができる。すなわち、消費電力の低減を実現することができる。
【０１１３】
今回開示した実施の形態では、給電線の駆動を行い、電源電圧として第１電圧及び第２電圧を給電線に与えているが、本発明は給電線の駆動を行う画像表示装置に限定されるものではない。例えば、本発明は、特開２００８−２０３６５７号公報の図５に示される構造を有する、給電線の駆動を行わない画像表示装置にも適用できる。
【０１１４】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１５】
本発明は、高解像度の画像を表示する場合において、無駄な電力消費を抑えることを可能とする画像表示装置として、利用することができる。
【符号の説明】
【０１１６】
ＳＬ（１），ＳＬ（２），・・・，ＳＬ（ｎ），ＳＬＡ（１），ＳＬＡ（２），・・・，ＳＬＡ（ｎ），ＳＬＢ（１），ＳＬＢ（２），・・・，ＳＬＢ（ｎ）  信号線対
ＳＬ１１，ＳＬ２１，・・・，ＳＬｎ１，ＳＬ＿Ｏｄ（１），ＳＬ＿Ｏｄ（２），・・・，ＳＬ＿Ｏｄ（ｎ），ＳＬＢ＿Ｏｄ（１），ＳＬＢ＿Ｏｄ（２），・・・，ＳＬＢ＿Ｏｄ（ｎ）  第１の信号線
ＳＬ１２，ＳＬ２２，・・・，ＳＬｎ２，ＳＬ＿Ｅｖ（１），ＳＬ＿Ｅｖ（２），・・・，ＳＬ＿Ｅｖ（ｎ），ＳＬＢ＿Ｅｖ（１），ＳＬＢ＿Ｅｖ（２），・・・，ＳＬＢ＿Ｅｖ（ｎ）  第２の信号線
Ｌ１，Ｌ２  接続線
ＥＬ１  発光素子
１００，１００Ａ，１００Ｂ  画像表示装置
１０１  発光画素
１１０，１１０Ａ，１１０Ｂ  表示パネル
【図１】
2010281909.tif 000003
【図２】
2010281909.tif 000004
【図３】
2010281909.tif 000005
【図４】
2010281909.tif 000006
【図５】
2010281909.tif 000007
【図６】
2010281909.tif 000008